(57)【要約】      （修正有）【課題】消耗材を使用せず体型作りできるフィットネストレーニングベルトを提供する。【解決手段】フィットネストレーニングベルトは、腰ベルト本体２及び手足ベルト本体を含み、腰ベルト本体２の正面の左側に第１の面ファスナーのフック面１が設けられる。手足ベルト本体の正面の左側に第２の面ファスナーのループ面が接続され、第２の面ファスナーのループ面の右側に第２の面ファスナーのフック面が設けられる。第１導電シート、第２導電シート、第１本体３及び腰ベルト本体２を設け、人間工学に基づいた腰ベルト本体２の形状を採用する。装着が快適で、長さを調整でき、腰に巻かれる帯状の形で、製品の内側に第１導電シート及び第２導電シートが設置され、第１本体３はＩＣプログラムによって制御される。第１本体３が発するパルス電流は、第１導電シートと第２導電シートを介して神経を刺激し、筋肉を収縮させる。繰り返して使用でき、電気伝導が安定で、省エネで環境にやさしい。【選択図】図１
0003232821.tif 000002
【実用新案登録請求の範囲】
【請求項１】
ベルト本体（２）及び手足ベルト本体（１２）を含み、
前記ベルト本体（２）の正面の左側に第１面ファスナーのフック面（１）が設けられるとともに、腰ベルト本体（２）の正面の中央に第１本体（３）が取り付けられ、
前記第１本体（３）の正面の上側にモニタ（６）が設けられるとともに、モニタ（６）の下側に第１操作キー（５）が設けられ、
前記腰ベルト本体（２）の背面の中央に第２導電シート（９）が貼り付けられ、かつ第２導電シート（９）の両側に第１導電シート（７）が接続され、
前記第１導電シート（７）の表面に丸孔（１０）が開設され、
前記ベルト本体（２）の背部の右側に第１の面ファスナーのループ面（８）が設けられることを特徴とするフィットネストレーニングベルト。
【請求項２】
前記手足ベルト本体（１２）の正面の左側には、第２の面ファスナーのループ面（１１）が取り付けられ、
前記第２の面ファスナーのループ面（１１）の右側には、第２の面ファスナーのフック面（１４）が設けられ、かつ手足ベルト本体（１２）の中央に補強ベルト（１３）が縫着され、
前記補強ベルト（１３）の右側に第２本体（１５）が取り付けら、かつ前記第２本体（１５）の右側に凹溝（１７）が開設されるとともに、凹溝（１７）の周囲にフレーム（１６）が取り付けられ、
前記手足ベルト本体（１２）の背面の右側に第４導電シート（２０）が貼着されるとともに、第４導電シート（２０）の両側に第３導電シート（１９）が接続され、
前記手足ベルト本体（１２）と腰ベルト本体（２）の外周には、いずれもエッジカバー（４）が設けられ、
前記第２本体（１５）と第１本体（３）の側面には、いずれも充電口（２１）が設けられることを特徴とする請求項１に記載のフィットネストレーニングベルト。
【請求項３】
前記モニタ（６）は、第１本体（３）の正面の上側に楕円形にして配置され、かつ第１本体（３）と第２導電シート（９）との間は電気的に接続されていることを特徴とする請求項１に記載のフィットネストレーニングベルト。
【請求項４】
前記第１の面ファスナーのループ面（８）と腰ベルト本体（２）との間が縫製接続であり、かつ第１の面ファスナーのループ面（８）の面積が第１の面ファスナーのフック面（１）の面積より小さいことを特徴とする請求項１に記載のフィットネストレーニングベルト。
【請求項５】
前記丸孔（１０）は、第１導電シート（７）の表面にマトリクス状に配置され、第１導電シート（７）と第２導電シート（９）との間が接着されていることを特徴とする請求項１に記載のフィットネストレーニングベルト。
【請求項６】
前記手足ベルト本体（１２）の左側の幅が凹溝（１７）の長さより小さく、かつ手足ベルト本体（１２）の左側が外向きに分けられ、２組配置されることを特徴とする請求項２に記載のフィットネストレーニングベルト。
【考案の詳細な説明】
【技術分野】
【０００１】
本考案はフィットネス器具の技術分野に関し、特に体型作りフィットネストレーニングベルトに関するものである。
【背景技術】
【０００２】
科学技術の発展と時代の進歩に伴い、人々の仕事のストレスはますます酷くなり、より多くの人が運動不足のためサブヘルス状態にあり、この状態では、人々の仕事の効率が低い。合理的なトレーニングによってこの状態を取り除くことができるから、消耗材を使用せず体型作りフィットネストレーニングベルトを提案した。
【０００３】
既存の製品はシート状で、ハイドロゲルを利用して皮膚に付着させ、その後本体から発生したパルス電流は、ハイドロゲルシートを介して電気を通し、神経を刺激し、筋肉を収縮させるものであるが、所定の時間を過ぎるとハイドロゲル消耗材を交換し直す必要があり、大きな無駄になる。
【考案の概要】
【考案が解決しようとする課題】
【０００４】
既存の製品は、ハイドロゲルを利用して皮膚に付着させ、その後本体からのパルス電流を流し、ハイドロゲルシートを介して電気を流し、神経を刺激し、筋肉を収縮させることを目的としているが、所定の時間を過ぎるとハイドロゲル消耗品を交換し、大きな無駄を招くという欠点を解決するために、消耗材を使用せず体型作りフィットネストレーニングベルトを提案する。
上記目的を実現するために，本発明は以下の技術的解決手段を用いる。
【０００５】
消耗材を使用せず体型作りフィットネストレーニングベルトであって、ベルト本体及び手足ベルト本体を含み、前記ベルト本体の正面の左側に第1面ファスナーのフック面が設けられるとともに、腰ベルト本体の正面の中央に第1本体が取り付けられ、前記第1本体の正面の上側にモニタが設けられるとともに、モニタの下側に第1操作キーが設けられ、前記腰ベルト本体の背面の中央に第２導電シートが貼り付けられ、かつ第２導電シートの両側に第1導電シートが接続され、前記第1導電シートの表面に丸が開設され、前記ベルト本体の背部の右側に第1の面ファスナーのループ面が設けられる。
【０００６】
好ましくは、前記手足ベルト本体の正面の左側に第2の面ファスナーのループ面が取り付けられ、前記第2の面ファスナーのループ面の右側に第2の面ファスナーのフック面が設けられ、かつ手足ベルト本体の中央に補強ベルトが縫着され、前記補強ベルトの右側に第2本体が取り付けら、かつ前記第2本体の右側に凹溝が開設されるとともに、凹溝の周囲にフレームが取り付けられ、前記手足ベルト本体の背面の右側に第4導電シートが貼着されるとともに、第4導電シートの両側に第3導電シートが接続され、前記手足ベルト本体と腰ベルト本体の外周には、いずれもエッジカバーが設けられ、前記第2本体と第1本体の側面には、いずれも充電口が設けられる
好ましくは、前記モニタは、第1本体(3)の正面の上側に楕円形にして配置され、かつ第1本体と第2導電シートとの間は電気的に接続されている
【０００７】
好ましくは、前記第1の面ファスナーのループ面と腰ベルト本体との間が縫製接続であり、かつ第１の面ファスナーのループ面の面積が第１の面ファスナーのフック面の面積より小さい。
好ましくは、前記丸孔は、第1導電シートの表面にマトリクス状に配置され、第1導電シートと第2導電シートとの間が接着されている。
好ましくは、前記手足ベルト本体の左側の幅が凹溝の長さより小さく、かつ手足ベルト本体の左側が外向きに分けられ、2組配置される。
【考案の効果】
【０００８】
以上のように、上記の手段を採用することにより、本考案の有益な効果は以下の通りである。
【０００９】
１、本考案では、第1導電シート、第2導電シート、第1本体及び腰ベルト本体を設け、腰ベルト本体の形状は人間工学に基づいた設計を採用しており、装着が快適で、長さを調整できる腰に巻かれる帯状の形で、製品の内側に第1導電シート及び第2導電シートがあり、第1本体はICプログラムによって制御され、第1本体が発するパルス電流は、製品上の第1導電シートと第2導電シートを介して神経を刺激し、筋肉を収縮させ、繰り返して使用でき、電気伝導が安定で、消耗材がなく、省エネで環境にやさしい。
【００１０】
２、本考案では、第1本体、第2本体、第2導電シート及び第4導電シートを設け、第1導電シートと腰ベルト本体との間を高周波技術で圧着したもので、第1導電シートをより強固にし、防水性能に優れ、快適に装着でき、使用後も便利に洗浄でき、濡れたタオルで導電シートを拭けばよく、清潔で衛生的である。
【図面の簡単な説明】
【００１１】
【図１】は本考案における実施例1の腰ベルト本体の正面構造概略図である。
【図２】は本考案における実施例1の腰ベルト本体の背面構造概略図である。
【図３】は本考案における実施例２の手足ベルト本体ベルトの正面構造概略図である。
【図４】は本考案における実施例２の手足ベルト本体の正面構造概略図である。
【図５】は本考案における実施例２の第２本体の側面構造概略図である。
【考案を実施するための形態】
【００１２】
以下、本考案の実施例の図面に合わせて、本考案実施例の技術的解決手段を明確かつ完全に記述し、当然ながら、記述された実施例は、本考案の一部の実施例にすぎず、全ての実施例ではない。本考案における実施例に基づき、当業者であれば創造的な労力を要さずに得たすべての他の実施例は、いずれも本考案の請求範囲に属する。
実施例1
【００１３】
消耗材を使用せず体型作りフィットネストレーニングベルトであって、図1-2のように腰ベルト本体2を含み、腰ベルト本体2の正面の左側には第1の面ファスナーのフック面1が設けられ、腰ベルト本体2の正面の中央には第1本体3が取り付けられ、第1本体3の正面の上側にはモニタ6が設けられ、モニタ6の下側方には第1操作キー5が設けられ、モニタ6は、第1本体3の正面の上側に楕円形にして配置され、第1本体3と第2導電シート9との間は電気的に接続され、楕円形のモニタ6は、第1本体3の動作状態を表示することができ、かつ形が美しく、電気的な接続は、第1本体3がICプログラムによって制御されることを保障し、複数の電流強度レンジと複数のパルス周波数モードが備え、第1本体3が発するパルス電流は、第2導電性シート9を介して神経を刺激し、筋肉を収縮させ、ベルト本体2の背部の中央に第2導電シート9が貼着するとともに、第2導電シート9の両側に第1導電シート7が接続され、第1導電シート7の表面には丸孔10が開けられており、丸孔10は第1導電シート7の表面にマトリクス状に配置され、第1導電シート7と第2導電シート9との間が接着され、丸孔10は電気パルスの通過に寄与し、神経を刺激し、筋肉を収縮させることに繋がり、刺激効果が顕著であり、接着は、第1導電シート7と第2導電シート9との間の相互導通を確保し、導電の実面積の増大に寄与し、ベルト本体2の背部の右側に第1の面ファスナーのループ面8が設けられ、第1の面ファスナーのループ面8と腰ベルト本体2との間は縫製接続であり、かつ第1の面ファスナーのループ面8の面積は第1の面ファスナーのフック面1の面積よりも小さく、縫製接続は、第1の面ファスナーのループ面8が使用中に腰ベルト本体2から脱落しないように確保し、第1の面ファスナーのループ面8の面積は第1の面ファスナーのフック面1の面積より小さく、第1の面ファスナーのループ面8が第1の面ファスナーのフック面1に完全に密着できるようにし、これにより、腰ベルト本体2の寸法調節可能範囲を大きくすることができ、実用的である。
実施例2
【００１４】
消耗材を使用せず体型作りフィットネストレーニングベルトであって、図3-5のように、手足ベルト本体12を含み、手足ベルト本体12の正面の左側には第2の面ファスナーのループ面11が連結されており、第2の面ファスナーのフック面14は、第2の面ファスナーのループ面11の右側に設けており、手足ベルト本体12の中央部に補強ベルト13が縫制され、手足ベルト本体12の左側の幅が凹溝17の長さより短く、かつ手足ベルト本体12の左側が外向き分けられ、2組配置され、手足ベルト本体12の左側の幅は凹溝17の長さより短く、手足ベルト本体12の左側が凹溝17の内部に挿入できるように確保し、これにより、手足ベルト本体12を人体の腕や大腿によく固定できるようにし、補強ベルト13の右側には第2本体15が取り付けられ、第2本体15の正面の下側には第2操作キー18が設けられ、第2本体15の右側には凹溝17が開設されているとともに、凹溝17の周囲にはフレーム16が取り付けられ、手足のベルト本体12の背部の右側に第4導電シート20が貼り付けられているとともに、第4導電シート20の両側に第3導電シート19が接続され、手足のベルト本体12と腰ベルト本体2の外周には、いずれもエッジカバー4が設けられ、第2本体15と第1本体3の側面には、いずれも充電口21が設けられている。
【００１５】
動作原理として、使用時に、使用者はまず腰ベルト本体2を自分の腰に巻きつけ、実際の腰周りに合わせて第1の面ファスナーのループ面8を第1の面ファスナーのフック面1に貼り合わせることで腰ベルト本体2を固定し、第１操作キー5によって第１本体3を起動し、第１本体3のモードを調節することで、腰部の正常なトレーニングを行うことができ、使用者は、自分の大腿または腕を手足ベルト本体12で巻き、手足ベルト本体12の分けられる片端を凹溝17に挿入して、たるみ度合いを調節し、第2の面ファスナーのループ面11と第2面ファスナーのフック面14を貼り合わせることで手足ベルト本体12を固定し、第2操作キー18で第2本体15を起動して第2本体15のモードを調節することで、腕および大腿を正常にトレーニングすることができ、第2本体15と第1本体3はいずれもICプログラムによって制御されており、複数の電流強度レンジと複数のパルス周波数モードがあり、第2本体15と第1本体3が発するパルス電流は、第2導電シート9及び第4導電シート20を介して、さらに第1導電シート7と第3導電シート19に伝達され、神経を刺激し、筋肉を収縮させ、トレーニングの役割を果たす。
【００１６】
以上、本考案の好ましい具体的な実施形態について述べたが、本考案の請求範囲はこれに限定されるものではなく、当業者は本考案が掲示した技術範囲内で、本考案の技術案及びその考案の意匠に基づいて同等の置換又は変更を加えることは、本考案の請求範囲内に含まれるものとする。
【符号の説明】
【００１７】
1、第１の面ファスナーのフック面
2、腰ベルト本体
3、第１本体
4、エッジカバー
5、第１操作キー
6、モニタ
7、第１導電シート
8、第１の面ファスナーのループ面
9、第２導電シート
10、丸孔
11、第２の面ファスナーのループ面
12、手足ベルト本体
13、補強ベルト；14、第２の面ファスナーのフック面
15、第２本体
16、フレーム
17、凹溝
8、第２操作キー
19、第３導電シート
20、第４導電シート
21、充電口
【図１】
0003232821.tif 000003
【図２】
0003232821.tif 000004
【図３】
0003232821.tif 000005
【図４】
0003232821.tif 000006
【図５】
0003232821.tif 000007